(57)【特許請求の範囲】
【請求項１】
基材と、
前記基材の上の少なくとも一部の領域に形成され、入射した光のなかから、左回り偏光又は右回り偏光のいずれか一方の光のみを反射する１又は２以上の第１の判別部と、
前記第１の判別部が反射する光以外の光を反射する１又は２以上の第２の判別部とを有し、
前記第１の判別部は、判別情報を形成し、
前記第２の判別部は、一定距離ずれて前記判別情報と同一の情報を形成し、
少なくとも前記第１の判別部及び前記第２の判別部の下に、前記第１の判別部及び前記第２の判別部で反射する光以外の光を吸収する光吸収層をさらに有する
ことを特徴とする偽造防止印刷物。
【請求項２】
請求項１に記載の偽造防止印刷物の真偽判別を行う真偽判別具であって、
前記第１の判別部が反射した光を位相板によって円偏光から上下方向の偏光面を有する直線偏光に変換して上下方向の偏光面を有する直線偏光を透過する偏光子を透過し、前記第２の判別部が反射した光を該位相板によって円偏光から左右方向の偏光面を有する直線偏光に変換して該偏光子を透過しない第１の光透過部と、
前記第２の判別部が反射した光を位相板によって円偏光から左右方向の偏光面を有する直線偏光に変換して左右方向の偏光面を有する直線偏光を透過する偏光子を透過し、前記第１の判別部が反射した光を該位相板によって円偏光から上下方向の偏光面を有する直線偏光に変換して該偏光子を透過しない第２の光透過部と
を有し、
前記第１の光透過部を一方の目に、前記第２の光透過部を他方の目に当てて、前記判別情報を見るときに、その判別情報を立体的に目視可能とする
ことを特徴とする真偽判別具。
【請求項３】
請求項１に記載の偽造防止印刷物の真偽判別を行う真偽判別方法であって、
前記第１の判別部が反射した光を位相板によって円偏光から上下方向の偏光面を有する直線偏光に変換して上下方向の偏光面を有する直線偏光を透過する偏光子を透過し、前記第２の判別部が反射した光を該位相板によって円偏光から左右方向の偏光面を有する直線偏光に変換して該偏光子を透過しない第１の光透過部を一方の目に、前記第２の判別部が反射した光を位相板によって円偏光から左右方向の偏光面を有する直線偏光に変換して左右方向の偏光面を有する直線偏光を透過する偏光子を透過し、前記第１の判別部が反射した光を該位相板によって円偏光から上下方向の偏光面を有する直線偏光に変換して該偏光子を透過しない第２の光透過部を他方の目に当てて、前記判別情報を見た場合に、その判別情報が立体的に見えるときは真正品であって、立体的に見えないときは偽造品であると判別する
ことを特徴とする真偽判別方法。
【発明の詳細な説明】
【０００１】
【発明の属する技術分野】
本発明は、商品券、証券、株券、定期券その他の金券類や、各種証明書類などの使用に適した偽造防止印刷物、真偽判別具及び真偽判別方法に関するものである。
【０００２】
【従来の技術】
近時、高精細かつ高色彩に再現することができるカラーコピー装置の普及に伴って、定期券、証券等の偽造が問題となってきている。
従来から、この種の金券類等の偽造防止を図るために、見る角度によって、色彩が変化する色彩変化部を設けた偽造防止印刷物が普及してきている。このような色彩変化部は、例えば、パールインキなどのように、見る角度によって色彩が変化する色彩変化インキを印刷することで形成している。
パールインキは、薄膜状の金属粒子などを顔料として含んでおり、この金属粒子によって光を多重反射する。この反射された光は、金属粒子の厚さによって、光の波長、すなわち色が決まり、この光が互いに干渉しあうことで、色彩変化を生じる。
【０００３】
【発明が解決しようとする課題】
しかし、前述した従来の印刷物では、同一の色彩変化を生じるものを作製することは、困難であった。
すなわち、パールインキによる色彩変化は、前述の通り、金属粒子の厚さよって決まる反射光の干渉作用によって生じるので、光が干渉するように金属粒子の厚さは、近似しながらも、ある程度ばらついていることが必要である。そのばらつき具合が異なると、色彩変化具合も異なる。
【０００４】
ところが、金属粒子の厚さのばらつき具合が同程度のものを安定して供給することは困難であり、生産ロット等が変わると、そのばらつき具合も変わってしまうことが多いので、同一の色彩変化を生じるものを作製することは、困難であった。
そのため、真正品であるにもかかわらず、色彩変化具合が異なるために、偽造品であると判別されてしまう可能性があった。
【０００５】
本発明の課題は、簡単かつ確実に、真偽判別を行うことができる偽造防止印刷物、真偽判別具及び真偽判別方法を提供することである。
【０００６】
【課題を解決するための手段】
本発明は、以下のような解決手段により、前記課題を解決する。なお、理解を容易にするために、本発明の実施形態に対応する符号を付して説明するが、これに限定されるものではない。
【０００７】
前記課題を解決するために、請求項１の発明は、基材（１１）と、基材（１１）の上の少なくとも一部の領域に形成され、入射した光のなかから、左回り偏光又は右回り偏光のいずれか一方の光のみを反射する１又は２以上の第１の判別部（１３）と、第１の判別部（１３）が反射する光以外の光を反射する１又は２以上の第２の判別部（１４）とを有し、第１の判別部（１３）は、判別情報を形成し、第２の判別部（１４）は、一定距離ずれて前記判別情報と同一の情報を形成し、少なくとも前記第１の判別部（１３）及び前記第２の判別部（１４）の下に、前記第１の判別部（１３）及び前記第２の判別部（１４）で反射する光以外の光を吸収する光吸収層（１２）をさらに有することを特徴とする偽造防止印刷物である。
【００１６】
請求項２の発明は、請求項１に記載の偽造防止印刷物の真偽判別を行う真偽判別具であって、第１の判別部（１３）が反射した光を位相板（２１）によって円偏光から上下方向の偏光面を有する直線偏光（６１）に変換して上下方向の偏光面を有する直線偏光を透過する偏光子（２２ａ）を透過し、第２の判別部（１４）が反射した光を該位相板（２１）によって円偏光から左右方向の偏光面を有する直線偏光（６２）に変換して該偏光子（２２ａ）を透過しない第１の光透過部と、第２の判別部（１４）が反射した光を位相板（２１）によって円偏光から左右方向の偏光面を有する直線偏光（６２）に変換して左右方向の偏光面を有する直線偏光を透過する偏光子（２２ｂ）を透過し、第１の判別部（１３）が反射した光を該位相板（２１）によって円偏光から上下方向の偏光面を有する直線偏光（６１）に変換して該偏光子（２２ｂ）を透過しない第２の光透過部（２３ｂ）とを有し、第１の光透過部（２３ａ）を一方の目に、第２の光透過部（２３ｂ）を他方の目に当てて、前記判別情報を見るときに、その判別情報を立体的に目視可能とすることを特徴とする真偽判別具である。
【００１７】
請求項３の発明は、請求項１に記載の偽造防止印刷物の真偽判別を行う真偽判別方法であって、第１の判別部（１３）が反射した光を位相板（２１）によって円偏光から上下方向の偏光面を有する直線偏光（６１）に変換して上下方向の偏光面を有する直線偏光を透過する偏光子（２２ａ）を透過し、第２の判別部（１４）が反射した光を該位相板（２１）によって円偏光から左右方向の偏光面を有する直線偏光（６２）に変換して該偏光子（２２ａ）を透過しない第１の光透過部（２３ａ）を一方の目に、第２の判別部（１４）が反射した光を位相板（２１）によって円偏光から左右方向の偏光面を有する直線偏光（６２）に変換して左右方向の偏光面を有する直線偏光を透過する偏光子（２２ｂ）を透過し、第１の判別部（１３）が反射した光を該位相板（２１）によって円偏光から上下方向の偏光面を有する直線偏光（６１）に変換して該偏光子（２２ｂ）を透過しない第２の光透過部（２３ｂ）を他方の目に当てて、前記判別情報を見た場合に、その判別情報が立体的に見えるときは真正品であって、立体的に見えないときは偽造品であると判別することを特徴とする真偽判別方法である。
【００１８】
【発明の実施の形態】
以下、図面等を参照して、本発明の実施の形態について、さらに詳しく説明する。
（第１実施形態）
図１は、本発明による偽造防止印刷物の第１実施形態を示す図である。図中、（Ａ）は、平面図、（Ｂ）は、（Ａ）のＢ−Ｂ断面図、（Ｃ）は、（Ａ）のＣ部拡大図である。
本実施形態では、商品券として使用される偽造防止印刷物の例を挙げて説明する。
偽造防止印刷物１０は、基材１１と、光吸収層１２と、第１判別部１３と、第２判別部１４と、通常印刷部１５とを有する。
【００１９】
基材１１は、この偽造防止印刷物１０の担体となる基材である。基材１１は、その材料として、上質紙、アート紙、コート紙、ミラーコート紙、コンデンサー紙、パラフィン紙その他の紙、ポリエステル、ＰＥＴ、ポリプロピレン、セロファンアセテート、塩化ビニル、ポリカーボネート、アクリルその他のプラスチックフィルム、銅、アルミその他の金属などを組み合わせた複合体等を使用することができる。
【００２０】
光吸収層１２は、第１判別部１３又は第２判別部１４が反射する光以外の光を吸収する層であり、基材１１の上に形成されている。光吸収層１２は、暗色彩インキ（例えば、ザ・インクテック社製墨インキ）などを印刷して、形成することができる。
【００２１】
第１判別部１３は、入射した光のなかから、左回り偏光を反射する部分であって、光吸収層１２の上に形成されている。第１判別部１３は、左回り偏光を反射するコレステリック液晶（ｃｈｏｌｅｓｔｅｒｉｃ  ｌｉｑｕｉｄ  ｃｒｙｓｔａｌ（以下、「ＣＬＣ」という。））インキを用いて、次のような印刷方法で形成することができる。例えば、凸版印刷、グラビア印刷法などの凹版印刷、オフセット方式などの平版印刷、スクリーン印刷及びインクジェット方式その他の通常用いられる印刷方法である。
左回り偏光を反射するＣＬＣインキは、左回り偏光を反射するＣＬＣ顔料と、ビヒクルと、補助剤とを含んでいる。
インキに含まれるＣＬＣ顔料は、反射効率及び印刷適性などを考慮して、粒径及び顔料濃度を適宜選択する必要がある。
なお、ＣＬＣインキは、入射した光のなかから、左回り偏光又は右回り偏光のいずれか一方の光を反射する性質を有するが、その理由については後述する。
【００２２】
第１判別部１３は、第２判別部１４と同じ色である。そのため、第１判別部１３と第２判別部１４は、見分けにくい。
また、図１（Ｃ）に示すように、第１判別部１３の全面は、白抜きの印刷に「ＤＮ」の細かい文字１６が形成されている。
【００２３】
第２判別部１４は、入射した光のなかから、右回り偏光を反射する部分であって、光吸収層１２の上であって、第１判別部１３が形成されていない部分に、形成されている。第２判別部１４は、第１判別部１３と同様の印刷方法で、右回り偏光を反射するＣＬＣインキを印刷して、形成することができる。
また、第２判別部１４の全面にも、第１判別部１３と同様に、白抜きの印刷にて、「ＤＮ」の細かい文字１６が形成されている。このように、「ＤＮ」の細かい文字パターンを形成することで、人間の目は、「ＤＮ」の文字を認識し、第１判別部１３と第２判別部１４との境界をごまかすことができる。
【００２４】
通常印刷部１５は、この偽造防止印刷物１０の用途等を表示する印刷部であって、第１判別部１３、第２判別部１４の上に形成されている。本実施形態では、「商品券」、「一万円」、「ＤＮデパート」の文字が通常用いられる印刷方法で印刷されている。
【００２５】
図２は、本発明による偽造防止印刷物に使用するＣＬＣ顔料の構造を示す模式図である。
ここで、ＣＬＣインキが、入射した光のなかから、左回り偏光又は右回り偏光のいずれか一方の光のみを反射する理由について、説明する。
ＣＬＣ顔料を構成する分子は、液晶の分子軸を基準に数度ずつ回転して積み上げられた状態になり、その回転方向によって、右又は左螺旋の構造の液晶分子となる（図２）。
【００２６】
液晶分子の螺旋構造と同じ回転方向の光が入射した場合は、光が反射し、液晶分子の螺旋構造と逆の回転方向の光が入射した場合は、光が透過する。
自然光５０は、左回り偏光５１と右回り偏光５２の両方の光を含むので、液晶分子の螺旋構造と同じ回転方向の偏光のみが反射され、逆の回転方向の偏光は、透過する。
【００２７】
図３は、本発明による偽造防止印刷物の真偽判別を説明する図である。
真偽判別具２０を使用して、偽造防止印刷物１０の真偽判別を行う。
真偽判別具２０は、位相板２１と、偏光子２２とを有する。
【００２８】
位相板２１は、入射光に位相差を与えるための光学板であって、本実施形態では、いわゆる１／４波長板を使用している。１／４波長板は、円偏光を直線偏光に、また、直線偏光を円偏光に、変換する性質を有する光学板である。位相板２１は、第１判別部１３で反射された左回り偏光５１を透過させて、上下方向の偏光面を有する直線偏光６１に変換する。
【００２９】
偏光子２２は、通常は自然光を直線偏光に変換する素子であり、また、直線偏光が入射されたときは、特定の偏光面を有するもののみを透過するという性質を有する。
偏光子２２ａは、上下方向の偏光面を有する直線偏光を透過する偏光子であって、直線偏光６１を透過する。
偏光子２２ｂは、左右方向の偏光面を有する直線偏光を透過する偏光子であって、直線偏光６１を透過しない。
【００３０】
自然光５０が、偽造防止印刷物１０の第１判別部１３に入射すると、以下のようになる。
（１）第１判別部１３に入射した自然光５０のうち、左回り偏光５１は、反射される。一方、右回り偏光５２は、透過して、第１判別部１３の下層に設けられた光吸収層１２に吸収される。
（２）（１）において反射した左回り偏光５１は、位相板２１を透過して、直線偏光６１に変換される。
（３）（２）において変換された直線偏光６１は、偏光子が、偏光子２２ａのときは、透過できるが、偏光子２２ｂのときは、透過できない。
【００３１】
また、自然光５０が、偽造防止印刷物１０の第２判別部１４に入射すると、以下のようになる。
（１）第２判別部１４に入射した自然光５０のうち、右回り偏光５２は、反射される。一方、左回り偏光５１は、透過して、第２判別部１４の下層に設けられた光吸収層１２に吸収される。
（２）（１）において反射した右回り偏光５２は、位相板２１を透過して、左右方向の偏光面を有する直線偏光６２に変換される。
（３）（２）において変換された直線偏光６２は、偏光子が、偏光子２２ｂのときは、透過できるが、偏光子２２ａのときは、透過できない。
【００３２】
このようにして、第１判別部１３及び第２判別部１４で反射した光は、位相板２１及び偏光子２２を透過できたり、できなかったりする。
【００３３】
（使用方法）
図４は、本発明による偽造防止印刷物の真偽判別を示す図である。
偽造防止印刷物１０及び真偽判別具２０は、以下のように使用する。
（１）判別者は、真偽判別を行う前に、偽造防止印刷物１０を確認する。
このとき、第１判別部１３は、第２判別部１４と同じ色であって、かつ、第１判別部１３及び第２判別部１４は、何も印刷しないで抜かれている「ＤＮ」の細かい文字１６を有するので、見分けることができない。
【００３４】
（２）判別者は、上下方向の偏光面を有する直線偏光を透過する偏光子２２ａを備える真偽判別具２０ａを偽造防止印刷物１０にあてる。
すると、判別者は、第１判別部１３で反射した光は目視できるが、第２判別部１４で反射した光は目視できないので、第１判別部１３の形状を確認することができる。
【００３５】
（３）判別者は、左右方向の偏光面を有する直線偏光を透過する偏光子２２ｂを備える真偽判別具２０ｂを偽造防止印刷物１０にあてる。
すると、判別者は、第２判別部１４で反射した光は目視できるが、第１判別部１３で反射した光は目視できないので、第１判別部１３の形状を確認することができる。
なお、いずれの真偽判別具をあてても、通常印刷部１５は、目視できる。
【００３６】
（４）カラーコピー装置で偽造した偽造品では、真偽判別具をあてても上記のような変化が生じないので、判別者は、この印刷物が真正品でないことが分かる。
【００３７】
本実施形態によれば、偽造防止印刷物１０は、第１判別部１３及び第２判別部１４を備えるので、真偽判別具２０ａ、２０ｂをあてるだけで、簡単に真偽判別することができる。
【００３８】
（第２実施形態）
図５は、本発明による偽造防止印刷物の第２実施形態を示す図である。
なお、以下に示す各実施形態では、前述した第１実施形態と同様の機能を果たす部分には、同一の符号を付して、重複する説明を適宜省略する。
偽造防止印刷物１０は、「ＤＮ」の文字を形成する第１判別部１３と、左右方向にずれて、同一の「ＤＮ」の文字を形成する第２判別部１４とを有する。
真偽判別具２０は、左目に位相板２１と偏光子２２ａとを備える第１光透過部２３ａを有して、右目に位相板２１と偏光子２２ｂとを備える第２光透過部２３ｂを有するメガネ形の真偽判別具である。
【００３９】
（使用方法）
判別者は、真偽判別具２０を掛けて偽造防止印刷物１０を見る。
このとき、判別者は、左目で、第１判別部１３を見ることができるが、第２判別部１４を見ることはできない。また、右目で、第２判別部１４を見ることができるが、第１判別部１３を見ることはできない。第１判別部１３と第２判別部１４は、同一の「ＤＮ」の文字が左右方向にずれて形成されているので、いわゆる立体写真の原理によって、判別者は、「ＤＮ」の文字を立体像として見ることができる。
このようにして、判別者は、この印刷物が真正品であることを確認できる。
【００４０】
本実施形態によれば、第１判別部１３と第２判別部１４は、同一の情報が、左右方向にずれて形成されているので、真偽判別具２０を掛けて見た場合に、真正品のときは、その情報を立体像として見ることができるため、簡単に真偽判別することができる。
【００４１】
（第３実施形態）
図６は、本発明による偽造防止印刷物の第３実施形態を示す図である。
偽造防止印刷物１０は、バーコードシンボルのバー（通常のバーコードシンボルの黒色部）を形成する第２判別部１４と、バーコードシンボルのスペース（通常のバーコードシンボルの白色部）を形成する第１判別部１３とを有する。
このバーコードの読み取るバーコードスキャナー３０は、レーザーを１／４波長板に透過させて左回り偏光に変換した光を発光して、その反射光を受光する装置である。
【００４２】
（使用方法）
（１）判別者は、偽造防止印刷物１０を見る。
このとき、第１判別部１３と第２判別部１４は、同じ色であるので、見分けがつかない。
（２）判別者は、バーコードスキャナー３０を用いて、バーコードを読み取る。
このとき、バーコードシンボルのバーは、第２判別部１４で形成されているので、バーコードスキャナー３０が発光する光を反射しないで、吸収する。バーコードシンボルのスペースは、第１判別部１３で形成されているので、バーコードスキャナー３０が発光する光を反射する。このため、バーコードスキャナー３０は、このバーコードを読み取ることができる。
このようにして、判別者は、この印刷物が真正品であることを機械的に確認することができる。
【００４３】
本実施形態によれば、第１判別部１３と第２判別部１４は、バーコードシンボルを形成するので、目視確認することができないため、第三者にバーコードがあることを認識されない。また、そのバーコードシンボルは、バーコードスキャナー３０で読み取ることができるが、カラーコピー装置による偽造品では、読み取ることができないので、高速かつ正確に真偽判別することができる。
【００４４】
（変形形態）
以上説明した実施形態に限定されることなく、種々の変形や変更が可能であって、それらも本発明の均等の範囲内である。
例えば、証券番号の１桁ごとに第１判別部１３と、第２判別部１４とを交互に設けてもよい（図７）。
このようにすれば、第三者は、この証券に判別部が設けられていることが分からない。判別者は、真偽判別具２０をあてるだけで、簡単に真偽判別することができる。
【００４５】
また、証券会社名に第１判別部１３又は第２判別部１４のいずれか一方の判別部を設けてもよい（図８）。
このようにすれば、ＣＬＣインキは、１種類しか使用しないので、安価に作製することができる。
【００４６】
さらに、第１実施形態において、第１判別部１３及び第２判別部１４は、網点で形成しても、見分けにくいので、好適である。
【００４７】
さらにまた、第３実施形態において、バーコードシンボルのスペースを通常のインキで形成してもよい。このようにしても、そのバーコードシンボルは、バーコードスキャナー３０が発光する光を反射するので、バーコードを読み取ることができ、また、通常のインキで形成しているので、安価である。
また、コードは、バーコードのみならず、２次元シンボルコードその他のコードであってもよい。
【００４８】
【発明の効果】
以上詳しく説明したように、本発明によれば、以下の効果を奏することができる。
【００４９】
偽造防止印刷物は、入射した光のなかから、左回り偏光又は右回り偏光のいずれか一方の光のみを反射する１又は２以上の第１の判別部と、その第１の判別部が反射する光以外の光を反射する１又は２以上の第２の判別部とを有し、第１の判別部は、判別情報を形成し、第２の判別部は、その判別情報と同一の情報を左右方向にずらして形成するので、真偽判別具を使用して、判別情報を立体像として確認することができ、容易に真偽判別することができる。
【００５２】
また、少なくとも第１の判別部及び第２の判別部の下に、第１の判別部及び第２の判別部で反射する光以外の光を吸収する光吸収層を有するので、判別時に、判別部を見やすい。
【００５８】
真偽判別具は、偽造防止印刷物の第１の判別部が反射した光を透過して、第２の判別部が反射した光を透過しない第１の光透過部と、第２の判別部が反射した光を透過して、第１の判別部が反射した光を透過しない第２の光透過部とを有するので、第１の光透過部を一方の目に、第２の光透過部を他方の目に当てることで、判別情報を立体的に目視することができるため、簡単に真偽判別することができる。
【００５９】
真偽判別方法は、偽造防止印刷物の第１の判別部が反射した光を透過して、第２の判別部が反射した光を透過しない第１の光透過部を一方の目に、第２の判別部が反射した光を透過して、第１の判別部が反射した光を透過しない第２の光透過部を他方の目に当てて、判別情報を見た場合に、その判別情報が立体的に見えるときは真正品であって、立体的に見えないときは偽造品であると判別するので、容易に真偽判別することができる。
【図面の簡単な説明】
【図１】本発明による偽造防止印刷物の第１実施形態を示す図である。
【図２】本発明による偽造防止印刷物に使用するＣＬＣ顔料の構造を示した模式図である。
【図３】本発明による偽造防止印刷物の真偽判別を説明する図である。
【図４】本発明による偽造防止印刷物の真偽判別を示す図である。
【図５】本発明による偽造防止印刷物の第２実施形態を示す図である。
【図６】本発明による偽造防止印刷物の第３実施形態を示す図である。
【図７】本発明による偽造防止印刷物の第１変形形態を示す図である。
【図８】本発明による偽造防止印刷物の第２変形形態を示す図である。
【符号の説明】
１０  偽造防止印刷物
１１  基材
１２  光吸収層
１３  第１判別部
１４  第２判別部
１５  通常印刷部
２０、２０ａ、２０ｂ  真偽判別具
２１  位相板
２２、２２ａ、２２ｂ  偏光子
３０  バーコードスキャナー
５０  自然光
５１  左回り偏光
５２  右回り偏光
６１、６２  直線偏光
【図１】
0004080064.tif 000002
【図２】
0004080064.tif 000003
【図３】
0004080064.tif 000004
【図４】
0004080064.tif 000005
【図５】
0004080064.tif 000006
【図６】
0004080064.tif 000007
【図７】
0004080064.tif 000008
【図８】
0004080064.tif 000009